(57)【特許請求の範囲】
【請求項１】
ネットワークノードであって、
ロングタームエボリューション（ＬＴＥ）ネットワークにおいて１以上の無線デバイスにシステム情報を送信する送信ユニットと、
コントローラであって、
各ＬＴＥ周波数帯域についての複数の予め定められた基準時間において、第１のカバレッジ拡張モード（ＣＥＭ）期間に入り、
前記第１のＣＥＭ期間の各ＣＥＭ期間中に、動的ＣＥＭスケジューリング情報を前記システム情報に含めてブロードキャストし、
前記複数の予め定められた基準時間のうちの予め定められた基準時間と予め定められた基準時間との間に、前記動的ＣＥＭスケジューリング情報に従って１以上の第２のＣＥＭ期間に入り、
コアネットワークから、前記ネットワークノードのカバレッジエリア内の少なくとも１つのマシンタイプ通信（ＭＴＣ）デバイスの構成又はパラメータに対応するＭＴＣ情報を受信し、
前記コアネットワークからの前記ＭＴＣ情報に基づいて、前記動的ＣＥＭスケジューリング情報を調整する
よう構成されているコントローラと、
を備えたネットワークノード。
【請求項２】
前記コントローラは、前記第１のＣＥＭ期間の各ＣＥＭ期間中、前記システム情報の繰り返しの頻度を増大させるようさらに構成されている、請求項１記載のネットワークノード。
【請求項３】
前記第１のＣＥＭ期間の各ＣＥＭ期間は、予め定められた継続時間を含み、前記コントローラは、前記動的ＣＥＭスケジューリング情報に従って、前記１以上の第２のＣＥＭ期間の可変継続時間を選択するよう構成されている、請求項１又は２記載のネットワークノード。
【請求項４】
前記予め定められた継続時間は、前記可変継続時間より短い、請求項３記載のネットワークノード。
【請求項５】
前記複数の予め定められた基準時間は、周期的に繰り返す、請求項１又は２記載のネットワークノード。
【請求項６】
ロングタームエボリューション（ＬＴＥ）ネットワークにおいて、ネットワークノードから、システム情報を、１以上の無線デバイスに送信するステップと、
各ＬＴＥ周波数帯域についての複数の予め定められた基準時間において、第１のカバレッジ拡張モード（ＣＥＭ）期間に入るステップと、
前記第１のＣＥＭ期間の各ＣＥＭ期間中に、動的ＣＥＭスケジューリング情報を前記システム情報に含めてブロードキャストするステップと、
前記複数の予め定められた基準時間のうちの予め定められた基準時間と予め定められた基準時間との間に、前記動的ＣＥＭスケジューリング情報に従って１以上の第２のＣＥＭ期間に入るステップと、
コアネットワークから、前記ネットワークノードのカバレッジエリア内の少なくとも１つのマシンタイプ通信（ＭＴＣ）デバイスの構成又はパラメータに対応するＭＴＣ情報を受信するステップと、
前記コアネットワークからの前記ＭＴＣ情報に基づいて、前記動的ＣＥＭスケジューリング情報を調整するステップと、
を含む方法。
【請求項７】
前記第１のＣＥＭ期間の各ＣＥＭ期間中、前記システム情報の繰り返しの頻度を増大させるステップ
をさらに含む、請求項６記載の方法。
【請求項８】
前記第１のＣＥＭ期間の各ＣＥＭ期間は、予め定められた継続時間を含み、
前記方法は、
前記動的ＣＥＭスケジューリング情報に従って、前記１以上の第２のＣＥＭ期間の可変継続時間を選択するステップ
をさらに含む、請求項６記載の方法。
【請求項９】
前記予め定められた継続時間は、前記可変継続時間より短い、請求項８記載の方法。
【請求項１０】
前記複数の予め定められた基準時間は、周期的に繰り返す、請求項６記載の方法。
【請求項１１】
請求項６乃至１０いずれか一項記載の方法を実行する手段を備えた装置。
【請求項１２】
装置に請求項６乃至１０いずれか一項記載の方法を実行させるプログラム。
【請求項１３】
請求項６乃至１０いずれか一項記載の方法を実行するよう構成されている処理ロジックを備えた装置。
【請求項１４】
請求項１２記載のプログラムを記憶しているマシン読み取り可能な記憶媒体。
【発明の詳細な説明】
【技術分野】
【０００１】
本開示は、一般に、無線通信ネットワークに関する。詳細には、本開示は、カバレッジ拡張モードにおいて、ネットワークノードとカバレッジが足りない（coverage-challenged）ユーザ機器（ＵＥ）との間でシステム情報メッセージ及び他のメッセージを連携するためのシステム及び方法に関する。
【０００２】
（関連出願）
本出願は、２０１４年３月１４日に出願された米国仮特許出願番号第６１／９５３６４６号（代理人整理番号Ｐ６４４３９Ｚ）の３５Ｕ．Ｓ．Ｃ§１１９（ｅ）の下での利益を主張する。
【背景技術】
【０００３】
マシンツーマシン（Ｍ２Ｍ）通信とも呼ばれるマシンタイプ通信（ＭＴＣ）は、移動体通信事業者、機器ベンダ、ＭＴＣ専門会社、及び研究機関にとって興味深いものである。Ｍ２Ｍ通信は、Ｍ２Ｍコンポーネントが、低コストのスケーラブルで信頼性の高い技術を用いて、相互接続され、ネットワーク化され、リモートで制御されることを可能にする。このようなＭ２Ｍ通信は、モバイルネットワークを介して伝送されることがあり、この場合、モバイルネットワークの役割は、伝送ネットワークとして機能するように大きく制限される。
【０００４】
ＭＴＣ用途におけるＭＴＣ通信のためのＭＴＣデバイス（又は単にＭＴＣ）として使用されるユーザ機器デバイス（又は単にＵＥ）は、ノマディックに（nomadically）（再）配置されること、配置されている間は低モビリティを有すること、低信号強度である位置（例えば、「貧弱なカバレッジエリア」）に配置されること、低優先度通信を提供すること、及び少量のモバイル発信（ＭＯ）データ又はモバイル着信（ＭＴ）データを頻繁には送信しないこと等といった特性を有する。例えば、ユーティリティ（utility）計測用途のためのスマートメータは、ＭＴＣデバイスとして使用されるＵＥの一種（一般にＵＥと呼ばれる）である。このような計測デバイスは、公共施設サービス使用量をモニタリングして、エネルギー消費に関する情報をサービス提供者に定期的に提供することができる。計測デバイスが、使用量情報のレポートを、ネットワークにおける中央ノードに自律的にプッシュすることもあるし、あるいは、レポート情報が必要とされるときに、中央ノードが、計測デバイスをポーリングすることもある。
【０００５】
ロードセキュリティは、モニタリングの別の例示的な用途である。例えば、車両事故の場合、車両内緊急通報サービスは、車両事故の位置情報を、緊急時第一対応者（emergency  first  responder）に自律的にレポートし、それにより、迅速な支援を円滑にする。モニタリングに関する他のロードセキュリティ用途は、インテリジェントな交通管理、自動チケット発券、フリート管理、及び他の使用を含む。
【０００６】
電子書籍リーダ、デジタルカメラ、パーソナルコンピュータ、及びナビゲーションシステム等のデバイスを含む消費者向け電子機器は、モニタリングから恩恵を受けることもある。例えば、このようなデバイスは、モニタリングを利用して、ファームウェアをアップグレードしたり、オンラインコンテンツをアップロード及びダウンロードしたりすることができる。
【図面の簡単な説明】
【０００７】
【図１】所定の実施形態に従った、カバレッジ拡張モード（ＣＥＭ）を連携するよう構成されている通信ネットワークのブロック図。
【図２】一実施形態に従った、固定ＣＥＭ期間すなわち予め定められたＣＥＭ期間と動的にスケジューリングされるＣＥＭ期間との例示的なタイミング図。
【図３】一実施形態に従った、カバレッジ拡張モード連携のための方法のフローチャート。
【図４】別の実施形態に従った、カバレッジ拡張連携のための方法のフローチャート。
【図５】一実施形態に従った例示的なネットワークノードのブロック図。
【図６】一実施形態に従った例示的なＵＥのブロック図。
【図７】一実施形態に従った構成のブロック図。
【図８】所定の実施形態に従ったモバイルデバイスの例示図。
【発明を実施するための形態】
【０００８】
本開示の実施形態と整合するシステム及び方法の詳細な説明が以下で提供される。いくつかの実施形態が説明されるが、開示は、いかなる実施形態にも限定されるものではなく、代わりに、多数の代替形態、変更形態、及び均等形態を包含する。さらに、多数の具体的な詳細が、本明細書で開示する実施形態の完全な理解を提供するために、以下の説明において記載されるが、いくつかの実施形態は、それらの詳細の一部又は全てがなくても実施することができる。さらに、明瞭にするために、関連技術分野において既知である所定の技術項目は、本開示を不必要に曖昧にするのを避けるために、詳細には説明されていない。
【０００９】
所定のＭＴＣデバイス及び他のカバレッジが足りない無線通信デバイスの性能を向上させる努力が存在する。例えば、第３世代パートナーシッププロジェクト（３ＧＰＰ）標準化団体は、低コストＭＴＣデバイス及び他のユーザ機器（ＵＥ）が３ＧＰＰロングタームエボリューション（ＬＴＥ）システムに接続することを可能にするために、上りリンク（ＵＬ）及び下りリンク（ＤＬ）の両方において最大約２０ｄＢまでのカバレッジ拡張を提供するように取り組んでいる。
【００１０】
そのようなＵＥのためのカバレッジにおける拡張を可能にするために、３ＧＰＰ  ＬＴＥシステムにおけるノードは、物理下りリンク制御チャネル（ＰＤＣＣＨ）、及び物理下りリンク共用チャネル（ＰＤＳＣＨ）を介して送信されるシステム情報メッセージのための増大された送信電力及び／又は増大された信号繰り返し等といった付加機能を提供するカバレッジ拡張モード（ＣＥＭ）で動作することができる。しかしながら、そのようなＣＥＭ可能ノードは、ＣＥＭをトリガする又はＣＥＭに入るために、ＵＥとの連携を欠いている。ＣＥＭは、非常にリソース集約的であり、他のＵＥ（例えば、カバレッジが足りているＵＥ）のための帯域幅を制限するので、ノードは、一般に、制限された時間期間の間のみ、カバレッジ拡張モードで動作する。しかしながら、ＵＥは、制限されたカバレッジ能力しか有さず、システム情報メッセージを受信することができない場合、且つ／又は、所与のＬＴＥセルの特定周波数帯域等の基本情報を判別することができない場合、ＵＥは、ノードがいつＣＥＭで動作しているかを認識しない。
【００１１】
したがって、連携がなければ、カバレッジが足りないＵＥ（例えば、ＭＴＣデバイス及び他のデバイス）は、ノードがカバレッジ拡張モードにあるか否かに関する情報なしで、ノードに無分別に接続することを試みる。したがって、カバレッジが足りないＵＥは、エネルギーを浪費する傾向にあり、成功の可能性がほとんどない又は全くないときに（ノードがそのときにＣＥＭにないため）、ノードに接続することを試みて、バッテリを消耗することがある。
【００１２】
本明細書で開示する所定の実施形態において、３ＧＰＰ  ＬＴＥシステムにおけるノード及びそのカバレッジエリア内のデバイスは、ＣＥＭ期間のタイミングに関して、互いと連携することができる。実施形態は、ノードが、いつカバレッジ拡張モードにあるべきかを決定することにおける柔軟性を有することを可能にし、デバイスが、失敗に終わる接続の試みを著しく低減させることができる情報へのアクセスを有することを可能にする。実施形態はまた、いつノードに接続するべきか（例えば、ノードがＣＥＭにあるか否か）を判定する試み及びノードがＣＥＭモードにないときにノードに接続する試みにおける、そのようなＵＥによるエネルギーの不要な浪費を低減させることも可能にする。
【００１３】
３ＧＰＰ無線アクセスネットワーク（ＲＡＮ）ＬＴＥシステムにおいて、ノードは、進化型ユニバーサル地上無線アクセスネットワーク（Ｅ−ＵＴＲＡＮ）ノードＢ（進化型ノードＢ、エンハンストノードＢ、ｅＮｏｄｅＢ、又はｅＮＢとも一般に表記される）と無線ネットワークコントローラ（ＲＮＣ）との組合せであり得、ユーザ機器（ＵＥ）として知られている無線デバイスと通信する。ＤＬ伝送は、ノード（例えばｅＮＢ）から無線デバイス（例えばＵＥ）への通信であり得、ＵＬ伝送は、無線デバイスからノードへの通信であり得る。本明細書で使用されるとき、「ノード」及び「セル」という用語はともに、同義であることが意図されており、ｅＮＢ、低電力ノード、又は他の基地局等の、複数のユーザ機器と通信するよう動作可能な無線伝送ポイントを指す。
【００１４】
図１は、所定の実施形態に従った、ノード（ｅＮＢ１１０）とＵＥ（ＭＴＣデバイス１１４）との間でカバレッジ拡張モードを連携するよう構成されている通信ネットワーク１００のブロック図である。この例におけるＵＥはＭＴＣデバイスであるが、この例は、ｅＮＢ１１０のカバレッジエリア１１６のエッジに配置されたＵＥ等の、貧弱なカバレッジを受ける任意のデバイス、又は、カバレッジ拡張機能（例えば、広範なシグナリング繰り返し）から恩恵を受けることがある任意のデバイスに適用することができる。
【００１５】
ｅＮＢ１１０は、ＵＥがネットワーク１００にアクセスし、ネットワーク１００内及びカバレッジエリア１１６内で適切に動作することを可能にするためにＵＥが使用できるシステム情報１１２をブロードキャストする。システム情報１１２は、例えば、ｅＮＢ１１０により繰り返しブロードキャストされ得、とりわけ、下りリンクセル帯域幅及び上りリンクセル帯域幅、時分割複信（ＴＤＤ）の場合における上りリンク／下りリンク構成、ランダムアクセス伝送及び上りリンク電力制御に関連する詳細なパラメータに関する情報を含み得る。システム情報１１２は、セルにアクセスできるか否かに関するいわゆる「セル規制情報（cell  barring  information）」をさらに含み得る。カバレッジ拡張モード（ＣＥＭ）では、ｅＮＢ１１０は、ＭＴＣデバイス１１４が信号を受信して復号する能力を増大させるために、ｅＮＢ１１０がシステム情報１１２をブロードキャストする速度を（例えば、２倍若しくは３倍に、又はこれより多く）増大させることができる。少なくとも所定の固定ＣＥＭ期間すなわち予め定められたＣＥＭ期間中、システム情報１１２は、追加のＣＥＭ期間の規定を示す動的ＣＥＭスケジューリング情報も含む。他の実施形態において、システム情報１１２は、この動的スケジューリング情報を常に含む。
【００１６】
固定ＣＥＭ期間（すなわち予め定められたＣＥＭ期間）と動的にスケジューリングされるＣＥＭ期間とを使用することにより、ｅＮＢ１１０は、負荷及び／又は他のシステム制約の変化に基づいて、ＣＥＭ期間の頻度及び継続時間を増加又は減少させる柔軟性を有することが可能になりながら、カバレッジ拡張を必要とするＵＥ（たとえばＭＴＣデバイス１１４）は、ＵＥがＣＥＭを求めてエネルギーを不必要に浪費しないように（例えば、ＣＥＭが長い時間の間スケジューリングされていないとき）、ＣＥＭがいつスケジューリングされているかを示す基準（reference）を認識することが可能になる。
【００１７】
所定の実施形態において、ネットワーク１００は、ＭＴＣデバイス１１４が、ＣＥＭにあるｅＮＢ１１０からシステム情報１１２を受信することを予想できるとき、ＭＴＣデバイス１１４がネットワーク１００内に配置される前に既知であるＬＴＥ周波数帯域の各々について予め定められた固定時間インスタンスを含む２段階アプローチを使用する。固定インスタンスすなわち予め定められた基準時間は、ｅＮＢ１１０のスケジューリング柔軟性を可能にするために、短い時間（例えば数秒（２〜３秒））であり得るそれぞれの予め定められたＣＥＭ期間の開始に対応する。しかしながら、予め定められたＣＥＭ期間は、ＭＴＣデバイス１１４がＣＥＭ中に少なくとも１回システム情報１１２を受信できるように十分長くてもよい。所定の実施形態において、予め定められたＣＥＭ期間は、システム情報１１２が、３回若しくは４回又はそれより多く繰り返され得るように十分長い。
【００１８】
固定ＣＥＭ期間すなわち予め定められたＣＥＭ期間中、ｅＮＢ１１０は、連続する予め定められたＣＥＭ期間の間（予め定められたＣＥＭ期間と次の予め定められたＣＥＭ期間との間）の時間の間ｅＮＢ１１０がいつＣＥＭ伝送を提供することになるかを示す情報（例えば動的ＣＥＭスケジューリング情報）をブロードキャストするよう構成されている。動的ＣＥＭ期間は、周期的に又はランダムな間隔でスケジューリングされ得、予め定められたＣＥＭ期間よりも長いものであり得る。例えば、所定の実施形態に従った動的ＣＥＭ期間は、分及び／又は時間のオーダーである。
【００１９】
所定の実施形態において、継続時間、及び／又はＣＥＭ期間が開始する予め定められた基準時間を含む、予め定められたＣＥＭ期間に対応する情報は、図１に示されるＭＴＣデバイス１１４等のＣＥＭ搭載（CEM-equipped）ＵＥ内にハードコーディングされている。さらに、又は、他の実施形態において、ＣＥＭ搭載ＵＥは、他の時間に配置及び／又は再構成されたときに、ＣＥＭ期間に対応する情報を有するよう初期設定されてもよい。したがって、予め定められたＣＥＭ期間中、ＭＴＣデバイス１１４及び他のＣＥＭ搭載ＵＥは、動的ＣＥＭスケジューリング情報を含むブロードキャストされたシステム情報１１２が受信され復号され得るように、ｅＮＢ１１０が短い時間ＣＥＭにあるよう構成されることを判別することができる。
【００２０】
動的ＣＥＭスケジューリング情報を知ることにより、ＭＴＣデバイス１１４及び他のカバレッジが足りないＵＥは、所定の実施形態に従って、ｅＮＢ１１０がブロードキャストされたスケジュールに従ってＣＥＭにあると予想されるときだけ、ｅＮＢ１１０に接続することを試みることができる。このような実施形態は、ＣＥＭに関する全体として静的なスケジュールと、ＣＥＭに関する全体として動的なスケジュールと、の間のバランスをとる。
【００２１】
動的ＣＥＭスケジューリング情報が利用可能になるときの特定の時間を決定することにより、ＭＴＣデバイス１１４及びＣＥＭ可能な他のＵＥは、ネットワーク１００にアクセスする可能性がより高くなると同時に、スケジューリング柔軟性をｅＮＢ１１０に提供する。例えば、ｅＮＢ１１０が、自身に重い負荷がかけられていると分かった場合、ｅＮＢ１１０は、ＣＥＭのより短いインスタンスをスケジューリングすることができ、その逆もできる。
【００２２】
図２は、一実施形態に従った、固定ＣＥＭ期間すなわち予め定められたＣＥＭ期間と動的にスケジューリングされるＣＥＭ期間との例示的なタイミング図２００を示している。この例において、第１の予め定められたＣＥＭ期間２１０（ａ）及び第２の予め定められたＣＥＭ期間２１０（ｂ）は、特定の時間インスタンスすなわち予め定められた基準時間Ｔｓがそれぞれ生じたときに開始する。１以上の動的にスケジューリングされるＣＥＭ期間が、第１の予め定められたＣＥＭ期間２１０（ａ）と第２の予め定められたＣＥＭ期間２１０（ｂ）との間に生じる。図２に示されるように、この例は、第１の動的ＣＥＭ期間２１２（ａ）、第２の動的ＣＥＭ期間２１２（ｂ）、及び第３の動的ＣＥＭ期間２１２（ｃ）を含む。しかしながら、当業者であれば、本明細書における開示から、（１つのみを含む）より少ない動的にスケジューリングされるＣＥＭ期間又はより多くの動的にスケジューリングされるＣＥＭ期間が使用されてもよいことが認識されよう。
【００２３】
各ＬＴＥ周波数帯域について、予め定められた基準時間Ｔｓは、ｅＮＢが、第１の予め定められたＣＥＭ期間２１０（ａ）と第２の予め定められたＣＥＭ期間２１０（ｂ）との間のＣＥＭスケジュールに関する情報をいつブロードキャストすることを開始するかを規定するものである。すなわち、ｅＮＢは、第１の動的ＣＥＭ期間２１２（ａ）、第２の動的ＣＥＭ期間２１２（ｂ）、及び第３の動的ＣＥＭ期間２１２（ｃ）の開始及び／又は継続時間を示すために、第１の予め定められたＣＥＭ期間２１０（ａ）及び第２の予め定められたＣＥＭ期間２１０（ｂ）中に動的ＣＥＭスケジューリング情報を送信する。ブロードキャストされる動的ＣＥＭスケジューリング情報内のスケジュールは、圧縮フォーマットであり得る（例えば、このスケジュールは、期間及び継続時間の観点で表現され得る）。
【００２４】
所定の実施形態において、予め定められた基準時間Ｔｓは、周期的であり、連続する予め定められた基準時間Ｔｓの間（予め定められた基準時間Ｔｓと次の予め定められた基準時間Ｔｓとの間）の間隔は、ＣＥＭ搭載ＵＥ内にハードコーディングされ得る、又は別の形で設定され得る。所定の実施形態に従った、連続する予め定められた基準時間Ｔｓの間の間隔は、大きな時間スケールである（例えば、時間及び／又は分のオーダーである）。
【００２５】
各予め定められた基準時間Ｔｓの始めに、ｅＮＢは、ＣＥＭに入り、定められた継続時間すなわち時間期間（例えば数秒（２〜３秒））の間ＣＥＭを保つよう構成されている。定められた継続時間すなわち時間期間も、ＣＥＭ搭載ＵＥ内にハードコーディングされ得る、又は別の形で設定され得る。この期間中（すなわち、第１の予め定められたＣＥＭ期間２１０（ａ）中）、ｅＮＢは、システム情報メッセージを使用して、動的ＣＥＭスケジューリング情報をブロードキャストするよう構成されている。例えば、所定の実施形態において、ｅＮＢは、動的ＣＥＭスケジューリング情報を、システム情報ブロック（ＳＩＢ）１、又は、現在規定されている任意の他のＳＩＢ若しくは後で作成される任意の他のＳＩＢに含めて、ブロードキャストする。
【００２６】
第１の予め定められたＣＥＭ期間２１０（ａ）及び第２の予め定められたＣＥＭ期間２１０（ｂ）の各々の継続時間は、短い時間であるが、カバレッジ拡張モードにあるＵＥが、このＵＥが少なくとも１回ネットワークに接続できるために必要とされる全システム情報を受信できるように決定され得る。したがって、ｅＮＢは、ＵＥが、予め定められた基準時間Ｔｓよりもわずかに後にウェークアップしてネットワークにアクセスすることを可能にするために、第１の予め定められたＣＥＭ期間２１０（ａ）及び第２の予め定められたＣＥＭ期間２１０（ｂ）の各ＣＥＭ期間中に、システム情報のブロードキャストを複数回繰り返すことができる。第１の予め定められたＣＥＭ期間２１０（ａ）及び第２の予め定められたＣＥＭ期間２１０（ｂ）の各ＣＥＭ期間中に、システム情報のブロードキャストを複数回繰り返すことは、ｅＮＢとＵＥとの間のクロックドリフトも考慮に入れる。
【００２７】
カバレッジ拡張モードのために構成されているＵＥは、ＣＥＭ可能ｅＮＢとのカバレッジ拡張を連携するために、予め定められた基準時間Ｔｓにおいて、ブロードキャストされた動的ＣＥＭスケジューリング情報を受信して復号するよう構成され得る。カバレッジが足りないＵＥが、スリープモード又は休止モード（dormant  mode）にある場合、このＵＥは、次の既知のＴｓ時間インスタンスにおいて、動的ＣＥＭスケジューリング情報を含むシステム情報を受信するために、ウェークアップすることができる。予め定められた基準時間Ｔｓの始めに既に接続されているカバレッジが足りないＵＥは、ブロードキャストされた動的ＣＥＭスケジューリング情報を使用して、次回のＣＥＭモードスケジュールの内部に記憶されているバージョンをアップデートすることができる。
【００２８】
所定の実施形態において、ＭＴＣデバイス及び他のカバレッジが足りないＵＥは、ＣＥＭに関するスケジューリングされた時間中のみ、ネットワークに接続することを試みる。例えば、ＵＥは、第１の予め定められたＣＥＭ期間２１０（ａ）、第２の予め定められたＣＥＭ期間２１０（ｂ）、第１の動的ＣＥＭ期間２１２（ａ）、第２の動的ＣＥＭ期間２１２（ｂ）、及び／又は第３の動的ＣＥＭ期間２１２（ｃ）中のみ、ｅＮＢに接続するよう構成され得る。他の実施形態において、（ＭＴＣデバイスを含む）ＵＥは、非ＣＥＭモード中に、ネットワークに接続することを試みることができる。
【００２９】
図３は、一実施形態に従った、カバレッジ拡張モード連携のための方法３００のフローチャートである。方法３００は、例えば、ｅＮＢにより実行され得る。方法３００は、各ＬＴＥ周波数帯域についての予め定められた基準時間において、第１のカバレッジ拡張モード（ＣＥＭ）期間に入ること（３１０）を含む。各第１のＣＥＭ期間中に、ｅＮＢは、動的ＣＥＭスケジューリング情報を含むシステム情報をブロードキャストする（３１２）。方法３００は、予め定められた基準時間の間（予め定められた基準時間と予め定められた基準時間との間）に、動的ＣＥＭスケジューリング情報に従って、１以上の第２のＣＥＭ期間に入ること（３１４）を含む。
【００３０】
さらに、又は、他の実施形態においては、方法３００は、ＭＴＣ情報がコアネットワークから受信されているかどうかを問い合わせること（３１６）をさらに含んでもよい。例えば、モビリティ管理エンティティ（ＭＭＥ）又は他のネットワークエンティティは、セル内の１以上のスマート計測デバイスのスケジューリングされたレポート間隔を、カバレッジ拡張モードのスケジューリングと連携させるためのＭＴＣ情報を提供することができる。ＭＴＣ情報が、コアネットワークから受信されている場合、方法３００は、コアネットワークからのＭＴＣ情報に基づいて、（例えば、異なる速度で且つ／又は異なる継続時間の間、生じるように、）動的ＣＥＭスケジューリング情報を調整すること（３１８）をさらに含む。方法３００は、新たな動的スケジューリング情報に対して繰り返す。一方、ＭＴＣ情報が、コアネットワークから受信されていない場合、方法３００は、方法３００は、前の動的スケジューリング情報に対して繰り返し得る。上述したように、ＭＴＣ情報が、コアネットワークから受信されない場合であっても、所定の実施形態におけるｅＮＢは、現在の負荷及び／又は他のシステム制約に基づいて、動的ＣＥＭスケジューリング情報を変更することができる。
【００３１】
図４は、別の実施形態に従った、カバレッジ拡張連携のための方法４００のフローチャートである。方法４００は、例えば、ＵＥにより実行され得る。方法４００は、予め定められた基準時間において、ＵＥをｅＮＢに接続し、システム情報を受信すること（４１０）を含む。次いで、ＵＥは、システム情報から、動的ＣＥＭスケジュールを決定する（４１２）。方法４００は、動的ＣＥＭスケジュールに基づいて、ｅＮＢからＵＥを接続解除すること、且つ／又は、非ＣＥＭ期間中スリープモードに入ること（４１４）をさらに含む。方法４００は、動的ＣＥＭスケジュールに基づいて、ウェークアップすること、且つ／又は、１以上の動的ＣＥＭ期間中にｅＮＢに接続すること（４１６）をさらに含む。
【００３２】
図５は、一実施形態に従った例示的なネットワークノード５００のブロック図である。ネットワークノード５００は、例えば、ネットワークにおいて上述した方法の実行を可能にするよう適合されているｅＮＢを含み得る。ネットワークノード５００は、上述したように、カバレッジ拡張モードをサポートする。ネットワークノード５００は、破線により囲まれて図示されている構成５０１を含む。ネットワークノード５００は、ＬＴＥ通信システムにおけるｅＮＢ等の基地局であり得る。ネットワークノード５００及び構成５０１は、構成５０１の一部としてみなされ得る通信ユニット５０２を介して他のエンティティと通信するようにさらに示されている。通信ユニット５０２は、受信機（Ｒｘ）５０９及び送信機（Ｔｘ）５０８、又はトランシーバ等の通信手段を備える。通信ユニット５０２は、代替的に、「インタフェース」と表記されることもある。構成又はネットワークノードは、標準的なｅＮＢ機能を提供する機能ユニット等の他の機能ユニット５０７をさらに備えることができ、１以上のメモリユニット５０６をさらに備えることができる。
【００３３】
構成５０１は、例えば、本明細書に記載の動作を実行するよう構成される、プロセッサ又はマイクロプロセッサと適切なソフトウェアとこのソフトウェアを記憶するためのメモリ、プログラマブルロジックデバイス（ＰＬＤ）又は１以上の他の電子的コンポーネント、及び処理回路のうちの１以上により実装され得る。
【００３４】
ネットワークノードの構成部は、動的ＣＥＭスケジューリング情報を含むシステム情報を１以上のＵＥに送信するよう適合されている送信ユニット５０３を含む。ネットワークノードの構成部は、予め定められた基準時間において第１のＣＥＭモードに入り、動的にスケジューリングされた時間において第２のＣＥＭモードに入るよう適合されている制御ユニット５０５をさらに含む。構成内の決定ユニット５０４又は何らかの他のユニットは、動的ＣＥＭスケジューリング情報を決定するよう適合されている。
【００３５】
図６は、一実施形態に従った例示的なＵＥ６００のブロック図である。本明細書に記載の実施形態は、無線通信システムにおいて動作可能なＵＥ６００に関する。ＵＥ６００は、上述した実施形態のうちの少なくとも１つの実施形態を実行するよう適合されている。ＵＥ６００は、上述した、ＵＥにより実行される方法と同じ技術的特徴、目的、及び効果に関連付けられる。ＵＥは、不必要な繰り返しを避けるために、簡潔に説明される。ＵＥ６００は、上述したように、カバレッジ拡張モードをサポートする。
【００３６】
ＵＥ６００は、破線により囲まれて図示されている構成６０１を含む。ＵＥ６００は、ＬＴＥ通信システムを介して通信するよう構成されているＭＴＣデバイス又は他のデバイスであり得る。ＵＥ６００及び構成６０１は、構成６０１の一部としてみなされ得る通信ユニット６０２を介して他のエンティティと通信するようにさらに示されている。通信ユニット６０２は、受信機（Ｒｘ）６０９及び送信機（Ｔｘ）６０８、又はトランシーバ等の通信手段を備える。通信ユニット６０２は、代替的に、「インタフェース」と表記されることもある。構成又はＵＥは、標準的なＵＥ機能を提供する機能ユニット等の他の機能ユニット６０７をさらに備えることができ、１以上のメモリユニット６０６をさらに備えることができる。
【００３７】
構成６０１は、例えば、本明細書に記載の動作を実行するよう構成される、プロセッサ又はマイクロプロセッサと適切なソフトウェアとこのソフトウェアを記憶するためのメモリ、ＰＬＤ又は１以上の他の電子的コンポーネント、及び処理回路のうちの１以上により実装され得る。
【００３８】
構成６０１は、ネットワークノードから、動的ＣＥＭスケジューリング情報を含むシステム情報を受信するよう適合されている受信ユニット６０３を含む。構成６０１は、決定ユニット６０４をさらに含む。決定ユニット６０４は、代替的に、「選択ユニット」及び／又は「識別ユニット」と表記されることもある。決定ユニット６０４は、システム情報から、動的ＣＥＭスケジュールを決定するよう適合され得る。構成６０１は、本明細書で説明したように、動的ＣＥＭスケジュールを適用するよう構成されている適用ユニット６０５をさらに含む。
【００３９】
図７は、一実施形態に従った構成７００のブロック図である。図示される構成７００は、図５又は図６に示される構成５０１又は構成６０１の実施形態の開示の代替態様であり得る。構成７００は、例えばＤＳＰ（デジタル信号プロセッサ）を有する処理ユニット７０６を含む。処理ユニット７０６は、１つのユニットであってもよいし、本明細書に記載の手順の異なる動作を実行する複数のユニットであってもよい。構成７００はまた、他のエンティティから信号を受信するための入力ユニット７０２、及び、他のエンティティに１以上の信号を提供するための出力ユニット７０４を含み得る。入力ユニット７０２及び出力ユニット７０４は、統合されたエンティティとして構成されてもよい。
【００４０】
さらに、構成７００は、例えば、ＥＥＰＲＯＭ（電子的に消去可能なプログラム可能な読み取り専用メモリ）、フラッシュメモリ、及び／又はハードドライブといった不揮発性メモリ又は揮発性メモリの形態の少なくとも１つのコンピュータプログラム製品７０８を含み得る。コンピュータプログラム製品７０８は、コンピュータプログラム７１０を含み得る。コンピュータプログラム７１０は、コード手段を含む。コード手段が、構成７００内の処理ユニット７０６において実行されたとき、コード手段は、構成及び／又は構成を備えるノードに、本明細書に記載の動作を実行させる。
【００４１】
コンピュータプログラム７１０は、コンピュータプログラムモジュール内に構造化されるコンピュータプログラムコードとして構成され得る。したがって、ネットワークノード内での使用のための例示的な実施形態において、構成７００のコンピュータプログラム７１０におけるコード手段は、システム情報を送信するための送信モジュール７１０ａを含む。コンピュータプログラム７１０は、動的ＣＥＭスケジューリング情報を決定するための決定モジュール７１０ｂをさらに含み得る。コンピュータプログラム７１０は、ネットワークノードにおける手順とともに、上述した実施形態の様々な動作の一部又は全てを提供するよう構成されている選択モジュール７１０ｃ及びさらなるコンピュータプログラムモジュール７１０ｄをさらに含む。
【００４２】
ＵＥ内の対応する構成は、必要な変更がなされて同様に説明され得る。この変更は、本文書の他の部分から導出され得る。
【００４３】
図７とともに上記で開示した実施形態におけるコード手段は、コンピュータプログラムモジュールであって、処理ユニットにおいて実行されたとき、デコーダに、上記で言及した図面とともに上述した動作を実行させるコンピュータプログラムモジュールとして実装されるが、コード手段のうちの少なくとも１つは、代替実施形態においては、ハードウェア回路として少なくとも部分的に実装されてもよい。
【００４４】
プロセッサは、１つのＣＰＵ（中央処理装置）であり得るが、２以上の処理ユニットを含んでもよい。例えば、プロセッサは、汎用マイクロプロセッサ、命令セットプロセッサ、及び／又は関連チップセット、及び／又は専用マイクロプロセッサ（ＡＳＩＣ（特定用途向け集積回路）等）を含み得る。プロセッサはまた、キャッシュ目的のボードメモリを含み得る。プロセッサに接続されるコンピュータプログラム製品が、コンピュータプログラムを有し得る。コンピュータプログラム製品は、コンピュータプログラムが記憶されるコンピュータ読み取り可能な媒体を含み得る。例えば、コンピュータプログラム製品は、フラッシュメモリ、ＲＡＭ（ランダムアクセスメモリ）、ＲＯＭ（読み取り専用メモリ）、又はＥＥＰＲＯＭであり得、上述したコンピュータプログラムモジュールは、代替実施形態においては、ネットワークノード又はＵＥ内のメモリの形態の異なるコンピュータプログラム製品上に分散されてもよい。
【００４５】
図８は、ＵＥ、移動局（ＭＳ）、モバイル無線デバイス、モバイル通信デバイス、タブレット、ハンドセット、又は別のタイプの無線通信デバイス等のモバイルデバイスの例示図である。モバイルデバイスは、基地局（ＢＳ）、ｅＮＢ、ベースバンドユニット（ＢＢＵ）、リモート無線ヘッド（ＲＲＨ）、リモート無線機器（ＲＲＥ）、中継局（ＲＳ）、無線機器（ＲＥ）、又は別のタイプの無線ワイドエリアネットワーク（ＷＷＡＮ）アクセスポイント等の伝送局と通信するよう構成されている１以上のアンテナを含み得る。モバイルデバイスは、３ＧＰＰ  ＬＴＥ、ＷｉＭＡＸ（登録商標）、高速パケットアクセス（ＨＳＰＡ）、Ｂｌｕｅｔｏｏｔｈ（登録商標）、及びＷｉ−Ｆｉ（登録商標）等の少なくとも１つの無線通信規格を使用して通信するよう構成され得る。モバイルデバイスは、各無線通信規格について別個のアンテナを使用して通信してもよいし、複数の無線通信規格について共用アンテナを使用して通信してもよい。モバイルデバイスは、無線ローカルエリアネットワーク（ＷＬＡＮ）、無線パーソナルエリアネットワーク（ＷＰＡＮ）、及び／又はＷＷＡＮにおいて通信することができる。
【００４６】
図８は、モバイルデバイスへの／からのオーディオ入力及びオーディオ出力のために使用され得るマイクロフォン及び１以上のスピーカの図も提供している。ディスプレイスクリーンは、液晶ディスプレイ（ＬＣＤ）スクリーンであってもよいし、有機発光ダイオード（ＯＬＥＤ）ディスプレイ等の他のタイプのディスプレイスクリーンであってもよい。ディスプレイスクリーンは、タッチスクリーンとして構成されてもよい。タッチスクリーンは、静電容量技術、抵抗技術、又は別のタイプのタッチスクリーン技術を使用することができる。アプリケーションプロセッサ及びグラフィックスプロセッサは、処理能力及び表示能力を提供するために、内部メモリに接続され得る。不揮発性メモリポートを使用して、データ入力／出力オプションをユーザに提供することができる。不揮発性メモリポートを使用して、モバイルデバイスのメモリ能力を拡張することもできる。キーボードは、さらなるユーザ入力を提供するために、モバイルデバイスと統合されてもよいし、モバイルデバイスに無線接続されてもよい。仮想キーボードが、タッチスクリーンを使用して提供され得る。
【００４７】
本明細書で開示した所定の実施形態は、ＣＥＭ可能ｅＮＢがＣＥＭにあるときの予め定められた固定基準時間インスタンスを提供するので、拡張カバレッジを必要とするＵＥは、そのような固定基準時間中にｅＮＢに接続することができる。ＣＥＭの固定基準時間中に、ｅＮＢは、現在の固定基準ＣＥＭインスタンスと次の固定基準ＣＥＭインスタンスとの間のさらなる動的ＣＥＭインスタンスのスケジューリングに関する情報をブロードキャストする。そのような所定の実施形態において、さらなるＣＥＭインスタンスに関するスケジューリング情報は、システム情報メッセージに含められてブロードキャストされ、例えば、ＳＩＢ１又は任意の他の既存ＳＩＢ若しくは新たに提案されるＳＩＢに含められ得る。ＣＥＭの動的スケジューリングに関する、ＳＩＢ１に含められてブロードキャストされる情報は、各動的ＣＥＭインスタンスの周期性（例えば分）及び継続時間の観点であってもよいし、システムフレーム番号（ＳＦＮ）及び継続時間という観点の非常に具体的なものであってもよい。ＳＩＢ１内の情報は、ＣＥＭを使用しない他のＵＥに関するサービス品質（ＱｏＳ）を維持しながら、ＣＥＭインスタンスの頻度に依存し得る。
【００４８】
さらなる例示的な実施形態
以下は、さらなる実施形態の例である。
【００４９】
例１は、送信ユニット及びコントローラを含むネットワークノードである。前記送信ユニットは、ＬＴＥネットワークにおいて１以上の無線デバイスにシステム情報を送信する。前記コントローラは、各ＬＴＥ周波数帯域についての複数の予め定められた基準時間において、第１のＣＥＭ期間に入る。前記コントローラは、前記第１のＣＥＭ期間の各ＣＥＭ期間中に、動的ＣＥＭスケジューリング情報を前記システム情報に含めてブロードキャストする。前記コントローラは、前記複数の予め定められた基準時間のうちの予め定められた基準時間と予め定められた基準時間との間に、前記動的ＣＥＭスケジューリング情報に従って１以上の第２のＣＥＭ期間に入る。
【００５０】
例２において、例１のコントローラは、前記第１のＣＥＭ期間及び前記１以上の第２のＣＥＭ期間の各ＣＥＭ期間中、前記システム情報の繰り返し速度（repetition  rate）を増大させるようさらに構成されている。
【００５１】
例３において、例１又は２の前記コントローラは、負荷又はシステム制約の変化に基づいて、前記動的ＣＥＭスケジューリング情報を調整するようさらに構成されている。
【００５２】
例４において、例１〜３のうちのいずれかの前記コントローラは、前記第１のＣＥＭ期間の後続の発生において、前記の調整された動的ＣＥＭスケジューリング情報をブロードキャストするようさらに構成されている。
【００５３】
例５において、例１〜４のうちのいずれかにおける前記第１のＣＥＭ期間の各ＣＥＭ期間は、予め定められた継続時間を含み、前記コントローラは、前記動的ＣＥＭスケジューリング情報に従って、前記１以上の第２のＣＥＭ期間の可変継続時間を選択するよう構成されている。
【００５４】
例６において、例１〜５のうちのいずれかにおける前記予め定められた継続時間は、前記可変継続時間より短い。
【００５５】
例７において、例１〜６のうちのいずれかにおける前記複数の予め定められた基準時間は、周期的に繰り返す。
【００５６】
例８において、例１〜７のうちのいずれかの前記コントローラは、コアネットワークから、ＭＴＣ情報を受信するようさらに構成されている。前記ＭＴＣ情報は、前記ネットワークノードのカバレッジエリア内の少なくとも１つのＭＴＣデバイスの構成又はパラメータに対応する。前記コントローラは、前記コアネットワークからの前記ＭＴＣ情報に基づいて、前記動的ＣＥＭスケジューリング情報を調整するようさらに構成されている。
【００５７】
例９は、ｅＮＢと通信する無線トランシーバ及び第１の固定期間中に前記ｅＮＢに接続し前記無線トランシーバを介してシステム情報を受信する回路を含むＵＥである。前記回路は、前記システム情報から、前記ｅＮＢに接続するための増大された能力に対応する第１のセットの可変期間を決定するよう構成されている。前記回路は、前記第１の固定期間において前記システム情報を受信した後に前記ｅＮＢから接続解除するよう構成されている。前記回路は、前記第１のセットの可変期間のうちの１以上の可変期間中に前記ｅＮＢに再接続するよう構成されている。
【００５８】
例１０において、例９における前記回路は、前記第１の固定期間の後、前記第１のセットの可変期間のうちの可変期間と可変期間との間、スリープモードに入り、前記第１のセットの可変期間のうちの１以上の可変期間中に、前記スリープモードからウェークアップして、前記ｅＮＢに再接続するようさらに構成されている。
【００５９】
例１１において、例１又は２における前記回路は、第２の固定期間中に、前記ｅＮＢに接続し、前記ｅＮＢに接続するための増大された能力に対応する第２のセットの可変期間を含むシステム情報を受信するようさらに構成されている。前記回路は、前記第２のセットの可変期間のうちの１以上の可変期間中に前記ｅＮＢに接続するようさらに構成されている。
【００６０】
例１２において、例９〜１１のうちのいずれかにおいて、継続時間及び繰り返し速度のうちの１つは、前記第１のセットの可変期間及び前記第２のセットの可変期間において異なる。
【００６１】
例１３において、例９〜１２のうちのいずれかにおける前記第１の固定期間は、前記回路にハードコーディングされている。
【００６２】
例１４において、例９〜１３のうちのいずれかにおける前記ＵＥは、前記第１の固定期間を記憶するためのメモリデバイスをさらに含む。
【００６３】
例１５において、例９〜１４のうちのいずれかにおける前記ＵＥは、ＭＴＣデバイスとして構成されている。
【００６４】
例１６において、例９〜１５のうちのいずれかにおける前記第１の固定期間及び前記第１のセットの可変期間は、ＣＥＭ期間を含む。
【００６５】
例１７は、ＬＴＥネットワークにおいて、ネットワークノードから、システム情報を、１以上の無線デバイスに送信するステップを含む方法である。前記方法は、各ＬＴＥ周波数帯域についての複数の予め定められた基準時間において、第１のカバレッジ拡張モード（ＣＥＭ）期間に入るステップを含む。前記方法は、前記第１のＣＥＭ期間の各ＣＥＭ期間中に、動的ＣＥＭスケジューリング情報を前記システム情報に含めてブロードキャストするステップを含む。前記方法は、前記複数の予め定められた基準時間のうちの予め定められた基準時間と予め定められた基準時間との間に、前記動的ＣＥＭスケジューリング情報に従って１以上の第２のＣＥＭ期間に入るステップを含む。
【００６６】
例１８は、例１７の主題を含み、前記第１のＣＥＭ期間及び前記１以上の第２のＣＥＭ期間の各ＣＥＭ期間中、前記システム情報の繰り返し速度を増大させるステップをさらに含む。
【００６７】
例１９は、例１７又は１８の主題を含み、負荷又はシステム制約の変化に基づいて、前記動的ＣＥＭスケジューリング情報を調整するステップをさらに含む。
【００６８】
例２０は、例１７〜１９のうちのいずれかの主題を含み、前記第１のＣＥＭ期間の後続の発生において、前記の調整された動的ＣＥＭスケジューリング情報をブロードキャストするステップをさらに含む。
【００６９】
例２１は、例１７〜２０のうちのいずれかの主題を含み、前記第１のＣＥＭ期間の各ＣＥＭ期間は、予め定められた継続時間を含み、前記方法は、前記動的ＣＥＭスケジューリング情報に従って、前記１以上の第２のＣＥＭ期間の可変継続時間を選択するステップをさらに含む。
【００７０】
例２２は、例１７〜２１のうちのいずれかの主題を含み、前記予め定められた継続時間は、前記可変継続時間より短い。
【００７１】
例２３は、例１７〜２２のうちのいずれかの主題を含み、前記複数の予め定められた基準時間は、周期的に繰り返す。
【００７２】
例２４は、例１７〜２３のうちのいずれかの主題を含み、コアネットワークから、前記ネットワークノードのカバレッジエリア内の少なくとも１つのマシンタイプ通信（ＭＴＣ）デバイスの構成又はパラメータに対応するＭＴＣ情報を受信するステップと、前記コアネットワークからの前記ＭＴＣ情報に基づいて、前記動的ＣＥＭスケジューリング情報を調整するステップと、をさらに含む。
【００７３】
例２５は、第１の固定期間中に、ユーザ機器（ＵＥ）において進化型ユニバーサル地上無線アクセスネットワーク（Ｅ−ＵＴＲＡＮ）ノードＢ（ｅＮＢ）に接続し無線トランシーバを介してシステム情報を受信するステップと、前記システム情報から、前記ｅＮＢに接続するための増大された能力に対応する第１のセットの可変期間を決定するステップと、前記第１の固定期間において前記システム情報を受信した後に前記ｅＮＢから接続解除するステップと、前記第１のセットの可変期間のうちの１以上の可変期間中に前記ｅＮＢに再接続するステップと、を含む方法である。
【００７４】
例２６は、例２５の主題を含み、前記第１の固定期間の後、前記第１のセットの可変期間のうちの可変期間と可変期間との間、スリープモードに入り、前記第１のセットの可変期間のうちの１以上の可変期間中に、前記スリープモードからウェークアップして、前記ｅＮＢに再接続するステップをさらに含む。
【００７５】
例２７は、例２５又は２６の主題を含み、第２の固定期間中に、前記ｅＮＢに接続し、前記ｅＮＢに接続するための増大された能力に対応する第２のセットの可変期間を含むシステム情報を受信するステップと、前記第２のセットの可変期間のうちの１以上の可変期間中に前記ｅＮＢに接続するステップと、をさらに含む。
【００７６】
例２８は、例２５〜２７のうちのいずれかの主題を含み、継続時間及び繰り返し速度のうちの１つは、前記第１のセットの可変期間及び前記第２のセットの可変期間において異なる。
【００７７】
例２９は、例２５〜２８のうちのいずれかの主題を含み、前記第１の固定期間を前記ＵＥの回路にハードコーディングするステップをさらに含む。
【００７８】
例３０は、例２５〜２８のうちのいずれかの主題を含み、前記第１の固定期間を前記ＵＥのメモリデバイスに記憶するステップをさらに含む。
【００７９】
例３１は、例１７〜３０のうちのいずれかの方法を実行する手段を備えた装置である。
【００８０】
例３２は、例１７〜３０のうちのいずれかの方法を実装する又は装置を実現するためのマシン読み取り可能な命令を含むマシン読み取り可能なストレージである。
【００８１】
例３３は、例１７〜３０のうちのいずれかの方法を実行するよう構成されている処理ロジックを備えた装置である。
【００８２】
本明細書で開示した様々な技術、又は所定の態様若しくはその一部は、フロッピディスケット、ＣＤ−ＲＯＭ、ハードドライブ、非一時的なコンピュータ読み取り可能な記憶媒体、又は任意の他のマシン読み取り可能な記憶媒体等の有体の媒体において具現化されるプログラムコード（すなわち命令）の形態をとることができる。このプログラムコードがコンピュータ等のマシンにロードされマシンにより実行されたときに、マシンは、様々な技術を実施するための装置になる。プログラム可能なコンピュータ上でのプログラムコード実行の場合、コンピューティングデバイスは、プロセッサ、プロセッサにより読み取り可能な記憶媒体（揮発性メモリ、不揮発性メモリ、及び／又は記憶要素を含む）、少なくとも１つの入力デバイス、及び少なくとも１つの出力デバイスを含み得る。揮発性メモリ、不揮発性メモリ、及び／又は記憶要素は、ＲＡＭ、ＥＰＲＯＭ、フラッシュドライブ、光学ドライブ、磁気ハードドライブ、又は電子データを記憶するための別の媒体であり得る。ｅＮＢ（又は他の基地局）及びＵＥ（又は他の移動局）は、トランシーバコンポーネント、カウンタコンポーネント、処理コンポーネント、及び／又はクロックコンポーネント若しくはタイマコンポーネントも含み得る。本明細書に記載の様々な技術を実装又は利用することができる１以上のプログラムは、アプリケーションプログラミングインタフェース（ＡＰＩ）、再利用可能なコントロール等を使用することができる。そのようなプログラムは、コンピュータシステムと通信するように、高水準手続き型プログラミング言語又はオブジェクト指向プログラミング言語により実装され得る。しかしながら、１以上のプログラムは、必要に応じて、アセンブリ言語又はマシン言語により実装されてもよい。いずれの場合であっても、言語は、コンパイル型言語又はインタプリタ型言語であり得、ハードウェア実装と組み合わされ得る。
【００８３】
本明細書に記載の機能ユニットの多くが、１以上のモジュール又はコンポーネントとして実装され得、モジュール又はコンポーネントは、それらの実装の独立性をより具体的に強調するために使用される用語であることを理解されたい。例えば、モジュール又はコンポーネントは、カスタム超大規模集積（ＶＬＳＩ）回路若しくはゲートアレイ、ロジックチップ、トランジスタ等の既製の半導体、又は他のディスクリートコンポーネントを備えるハードウェア回路として実装され得る。モジュール又はコンポーネントは、フィールドプログラマブルゲートアレイ、プログラマブルアレイロジック、プログラマブルロジックデバイス等といったプログラム可能なハードウェアデバイスにより実装されてもよい。
【００８４】
モジュール又はコンポーネントは、様々なタイプのプロセッサにより実行されるソフトウェアにより実装されてもよい。実行可能なコードの特定されるコンポーネントは、例えば、コンピュータ命令の１以上の物理ブロック又は論理ブロックを有することができ、これらは、例えば、オブジェクト、プロシージャ、又は関数として編成され得る。それでも、特定されるモジュール又はコンポーネントの実行ファイルは、物理的に一緒に配置される必要はなく、異なる位置に記憶される異なる命令を有することができる。これらは、論理的に一緒に結合されると、モジュール又はコンポーネントを含み、モジュール又はコンポーネントの上述の目的を達成する。
【００８５】
実際に、実行可能なコードのモジュール又はコンポーネントは、単一の命令であっても多数の命令であってもよく、さらには、いくつかの異なるコードセグメントにわたって、異なるプログラム間で、いくつかのメモリデバイスにわたって、分散されてもよい。同様に、動作データが、本明細書においてモジュール又はコンポーネント内に特定され示され、任意の適切な形態で具現化され、任意の適切なタイプのデータ構造内で編成され得る。動作データは、単一のデータセットとして収集されてもよいし、異なる記憶デバイスにわたることを含め、異なる位置にわたって分散されてもよいし、単に、システム又はネットワークにおける電子信号として、少なくとも部分的に存在してもよい。モジュール又はコンポーネントは、所望の機能を実行するよう動作可能なエージェントを含め、パッシブであってもアクティブであってもよい。
【００８６】
本明細書を通じた「例」との言及は、その例に関連して記載される特定の特徴、構造、又は特性が、本発明の少なくとも１つの実施形態に含まれることを意味する。したがって、本明細書を通じた様々な箇所における「例において」という語句の出現は、必ずしも、全てが同じ実施形態を指しているわけではない。
【００８７】
本明細書で使用されるとき、複数のアイテム、構造的要素、組成的要素、及び／又は材料は、便宜上、共通リストに提示される場合がある。しかしながら、これらのリストは、リストの各要素が別々の固有の要素として個々に特定されるかのように解釈されるべきである。したがって、このようなリストの個々の要素は、反対のインジケーションなく共通グループに提示されているということのみに基づいて、同じリストの任意の他の要素の事実上の均等物として解釈されるべきではない。さらに、本発明の様々な実施形態及び例は、本明細書において、それらの様々なコンポーネントの代替と共に言及される場合がある。そのような実施形態、例、及び代替は、互いの事実上の均等物として解釈されるべきではなく、本発明の別々の自立した表現として解釈されるべきであることを理解されたい。
【００８８】
明瞭にするために、上記が、ある程度詳細に説明されたが、変更及び修正が、その原理から逸脱することなくなされ得ることが明らかであろう。本明細書に記載のプロセス及び装置の両方を実施する多くの代替態様が存在することに留意されたい。したがって、本実施形態は、限定的なものではなく、例示的なものと解釈されるべきであり、本発明は、本明細書で提供した詳細に限定されるものではなく、請求項の範囲及び均等の構成内で変更されてもよい。
【００８９】
本発明の基礎となる原理から逸脱することなく、上述した実施形態の詳細に対して多くの変更を行うことができることが当業者には理解されよう。したがって、本発明の範囲は、請求項のみにより定められるべきである。
【図１】
0006386067.tif 000002
【図２】
0006386067.tif 000003
【図３】
0006386067.tif 000004
【図４】
0006386067.tif 000005
【図５】
0006386067.tif 000006
【図６】
0006386067.tif 000007
【図７】
0006386067.tif 000008
【図８】
0006386067.tif 000009